(57)【要約】【課題】照明器具におけるＬＥＤ光源の数や配置等の諸条件の設定を容易に調整することができ、利便性の高い照明器具を提供すること。【解決手段】照明器具１は、複数の光源ユニット３と、光源ユニット３が着脱自在に取り付けられる器具本体２とを備えている。光源ユニット３は、ＬＥＤパッケージ９１と、ＬＥＤパッケージ９１を保持する取付補助具４とを有している。器具本体２は、板状体が交差または屈曲した形状をなしており、その板状体の交差部または屈曲部に、光源ユニット３が着脱自在に取り付けられる取付部２１を有している。この取付部２１は、複数設けられている。【選択図】図１
2007242244.tif 000002
【特許請求の範囲】
【請求項１】
ＬＥＤ光源と、該ＬＥＤ光源を保持する取付補助具とを有する少なくとも１つの光源ユニットと、
前記光源ユニットが着脱自在に取り付けられる器具本体とを備える照明器具であって、
前記器具本体は、板状体が交差または屈曲した形状をなし、前記板状体の交差部または屈曲部に、前記光源ユニットが取り付けられる取付部を有することを特徴とする照明器具。
【請求項２】
前記器具本体は、前記取付部に、電源部から供給される電力を出力する本体側接続部を有し、
前記光源ユニットは、前記本体側接続部に接続される光源側接続部を有し、
前記取付部に前記光源ユニットが取り付けられると、前記本体側接続部と前記光源側接続部とが接続され、前記ＬＥＤ光源への通電が可能となるよう構成されている請求項１に記載の照明器具。
【請求項３】
前記取付部に前記光源ユニットを取り付ける際、前記取付部と前記光源ユニットの位置関係を複数のパターンから選択し得るよう構成されている請求項１に記載の照明器具。
【請求項４】
前記器具本体は、前記取付部に、電源部から供給される電力を出力する本体側接続部を有し、
前記光源ユニットは、前記本体側接続部に接続される光源側接続部を有し、
前記複数のパターンのうちのいずれのパターンを選択した場合でも、前記取付部に前記光源ユニットが取り付けられると、前記本体側接続部と前記光源側接続部とが接続され、前記ＬＥＤ光源への通電が可能となるように、前記本体側接続部および前記光源側接続部が設けられている請求項３に記載の照明器具。
【請求項５】
前記器具本体は、前記取付部に、電源部から供給される電力を出力する複数の本体側接続部を有し、
前記光源ユニットは、前記本体側接続部に接続される光源側接続部を有し、
前記複数のパターンのうちのいずれのパターンを選択した場合でも、前記取付部に前記光源ユニットが取り付けられると、前記複数の本体側接続部のうちのいずれかと前記光源側接続部とが接続され、前記ＬＥＤ光源への通電が可能となるよう構成されている請求項３に記載の照明器具。
【請求項６】
前記器具本体は、前記取付部に、電源部から供給される電力を出力する本体側接続部を有し、
前記光源ユニットは、前記本体側接続部に接続される複数の光源側接続部を有し、
前記複数のパターンのうちのいずれのパターンを選択した場合でも、前記取付部に前記光源ユニットが取り付けられると、前記本体側接続部と前記複数の光源側接続部のうちのいずれかとが接続され、前記ＬＥＤ光源への通電が可能となるよう構成されている請求項３に記載の照明器具。
【請求項７】
前記器具本体は、複数の前記取付部を有し、
前記複数の取付部から選択して、該取付部に前記光源ユニットが取り付けられるよう構成されている請求項１ないし６のいずれかに記載の照明器具。
【請求項８】
同一または異なる複数の前記光源ユニットを有し、
前記複数の光源ユニットから選択して、該光源ユニットが前記取付部に取り付けられるよう構成されている請求項１ないし６のいずれかに記載の照明器具。
【請求項９】
同一または異なる複数の前記光源ユニットを有し、
前記器具本体は、複数の前記取付部を有し、
前記複数の光源ユニットから選択するとともに、前記複数の取付部から選択して、該取付部に該光源ユニットが取り付けられるよう構成されている請求項１ないし６のいずれかに記載の照明器具。
【請求項１０】
前記取付補助具は、蓄熱部および放熱部を兼ねており、
前記ＬＥＤ光源で発生した熱が、前記取付補助具に蓄熱され、該取付補助具から放熱されるよう構成されている請求項１ないし９のいずれかに記載の照明器具。
【請求項１１】
前記器具本体は、放熱部を兼ねており、
前記取付補助具に蓄熱された熱が、該取付補助具から前記器具本体に伝達され、該器具本体から放熱されるよう構成されている請求項１０に記載の照明器具。
【請求項１２】
前記器具本体の略全体が一体的に形成されている請求項１ないし１１のいずれかに記載の照明器具。
【請求項１３】
前記板状体は、直線状、折れ線状または曲線状をなしている請求項１ないし１２のいずれかに記載の照明器具。
【請求項１４】
前記取付部における板状体と板状体とのなす角は、略直角である請求項１ないし１３のいずれかに記載の照明器具。
【請求項１５】
前記板状体は、中空部を有している請求項１ないし１４のいずれかに記載の照明器具。
【請求項１６】
前記板状体の中空部は、開放している請求項１５に記載の照明器具。
【請求項１７】
前記板状体の中空部に、前記ＬＥＤ光源への通電用の配線が配置されている請求項１５または１６に記載の照明器具。
【請求項１８】
前記器具本体は、前記板状体の中空部に空気を供給する供給口を有しており、
前記板状体の中空部に空気を流して、放熱を促進するよう構成されている請求項１５ないし１７のいずれかに記載の照明器具。
【請求項１９】
前記光源ユニットは、略円柱状をなしている請求項１ないし１８のいずれかに記載の照明器具。
【請求項２０】
前記取付部に前記光源ユニットが取り付けられた状態で、光を照射する側における前記器具本体の表面の高さと、前記光源ユニットの表面の高さとが、略一致する請求項１ないし１９のいずれかに記載の照明器具。
【請求項２１】
前記取付補助具には、切り欠き部が形成されており、該切り欠き部に前記板状体が嵌合することで、前記取付部に前記光源ユニットが取り付けられる請求項１ないし２０のいずれかに記載の照明器具。
【請求項２２】
前記取付補助具は、複数の脚部を有しており、該隣り合う２つの脚部の間に前記板状体が嵌合することで、前記取付部に前記光源ユニットが取り付けられる請求項１ないし２０のいずれかに記載の照明器具。
【請求項２３】
前記取付補助具は、基部と、該基部から突出した複数の脚部とを有し、
前記取付部は、該取付部に前記光源ユニットを取り付けたとき、前記基部が挿入される凹部を有し、
前記取付部に前記光源ユニットが取り付けられた状態で、光を照射する側における前記器具本体の表面の高さと、前記光源ユニットの表面の高さとが、略一致する請求項１ないし１９のいずれかに記載の照明器具。
【発明の詳細な説明】
【技術分野】
【０００１】
本発明は、照明器具に関するものである。
【背景技術】
【０００２】
ＬＥＤ光源は、長寿命で省電力化にも貢献することができ、回路構成が簡素であるという利点を備えている。また、ＬＥＤ光源の多色化や高輝度化も進んでおり、このようなＬＥＤ光源を用いた照明器具が提案されている（例えば、特許文献１参照）。
【０００３】
しかしながら、ＬＥＤ光源を用いた従来の照明器具では、照明器具におけるＬＥＤ光源の数や配置等の諸条件は、製造された段階で固定され、それを変更することはできず、利便性が低かった。
【０００４】
【特許文献１】特開平１１−２６０１３４号公報
【発明の開示】
【発明が解決しようとする課題】
【０００５】
本発明の目的は、照明器具におけるＬＥＤ光源の数や配置等の諸条件の設定を容易に調整することができ、利便性の高い照明器具を提供することにある。
【課題を解決するための手段】
【０００６】
このような目的は、下記（１）〜（２３）の本発明により達成される。
（１）  ＬＥＤ光源と、該ＬＥＤ光源を保持する取付補助具とを有する少なくとも１つの光源ユニットと、
前記光源ユニットが着脱自在に取り付けられる器具本体とを備える照明器具であって、
前記器具本体は、板状体が交差または屈曲した形状をなし、前記板状体の交差部または屈曲部に、前記光源ユニットが取り付けられる取付部を有することを特徴とする照明器具。
【０００７】
（２）  前記器具本体は、前記取付部に、電源部から供給される電力を出力する本体側接続部を有し、
前記光源ユニットは、前記本体側接続部に接続される光源側接続部を有し、
前記取付部に前記光源ユニットが取り付けられると、前記本体側接続部と前記光源側接続部とが接続され、前記ＬＥＤ光源への通電が可能となるよう構成されている上記（１）に記載の照明器具。
【０００８】
（３）  前記取付部に前記光源ユニットを取り付ける際、前記取付部と前記光源ユニットの位置関係を複数のパターンから選択し得るよう構成されている上記（１）に記載の照明器具。
【０００９】
（４）  前記器具本体は、前記取付部に、電源部から供給される電力を出力する本体側接続部を有し、
前記光源ユニットは、前記本体側接続部に接続される光源側接続部を有し、
前記複数のパターンのうちのいずれのパターンを選択した場合でも、前記取付部に前記光源ユニットが取り付けられると、前記本体側接続部と前記光源側接続部とが接続され、前記ＬＥＤ光源への通電が可能となるように、前記本体側接続部および前記光源側接続部が設けられている上記（３）に記載の照明器具。
【００１０】
（５）  前記器具本体は、前記取付部に、電源部から供給される電力を出力する複数の本体側接続部を有し、
前記光源ユニットは、前記本体側接続部に接続される光源側接続部を有し、
前記複数のパターンのうちのいずれのパターンを選択した場合でも、前記取付部に前記光源ユニットが取り付けられると、前記複数の本体側接続部のうちのいずれかと前記光源側接続部とが接続され、前記ＬＥＤ光源への通電が可能となるよう構成されている上記（３）に記載の照明器具。
【００１１】
（６）  前記器具本体は、前記取付部に、電源部から供給される電力を出力する本体側接続部を有し、
前記光源ユニットは、前記本体側接続部に接続される複数の光源側接続部を有し、
前記複数のパターンのうちのいずれのパターンを選択した場合でも、前記取付部に前記光源ユニットが取り付けられると、前記本体側接続部と前記複数の光源側接続部のうちのいずれかとが接続され、前記ＬＥＤ光源への通電が可能となるよう構成されている上記（３）に記載の照明器具。
【００１２】
（７）  前記器具本体は、複数の前記取付部を有し、
前記複数の取付部から選択して、該取付部に前記光源ユニットが取り付けられるよう構成されている上記（１）ないし（６）のいずれかに記載の照明器具。
【００１３】
（８）  同一または異なる複数の前記光源ユニットを有し、
前記複数の光源ユニットから選択して、該光源ユニットが前記取付部に取り付けられるよう構成されている上記（１）ないし（６）のいずれかに記載の照明器具。
【００１４】
（９）  同一または異なる複数の前記光源ユニットを有し、
前記器具本体は、複数の前記取付部を有し、
前記複数の光源ユニットから選択するとともに、前記複数の取付部から選択して、該取付部に該光源ユニットが取り付けられるよう構成されている上記（１）ないし（６）のいずれかに記載の照明器具。
【００１５】
（１０）  前記取付補助具は、蓄熱部および放熱部を兼ねており、
前記ＬＥＤ光源で発生した熱が、前記取付補助具に蓄熱され、該取付補助具から放熱されるよう構成されている上記（１）ないし（９）のいずれかに記載の照明器具。
【００１６】
（１１）  前記器具本体は、放熱部を兼ねており、
前記取付補助具に蓄熱された熱が、該取付補助具から前記器具本体に伝達され、該器具本体から放熱されるよう構成されている上記（１０）に記載の照明器具。
【００１７】
（１２）  前記器具本体の略全体が一体的に形成されている上記（１）ないし（１１）のいずれかに記載の照明器具。
【００１８】
（１３）  前記板状体は、直線状、折れ線状または曲線状をなしている上記（１）ないし（１２）のいずれかに記載の照明器具。
【００１９】
（１４）  前記取付部における板状体と板状体とのなす角は、略直角である上記（１）ないし（１３）のいずれかに記載の照明器具。
【００２０】
（１５）  前記板状体は、中空部を有している上記（１）ないし（１４）のいずれかに記載の照明器具。
（１６）  前記板状体の中空部は、開放している上記（１５）に記載の照明器具。
【００２１】
（１７）  前記板状体の中空部に、前記ＬＥＤ光源への通電用の配線が配置されている上記（１５）または（１６）に記載の照明器具。
【００２２】
（１８）  前記器具本体は、前記板状体の中空部に空気を供給する供給口を有しており、
前記板状体の中空部に空気を流して、放熱を促進するよう構成されている上記（１５）ないし（１７）のいずれかに記載の照明器具。
【００２３】
（１９）  前記光源ユニットは、略円柱状をなしている上記（１）ないし（１８）のいずれかに記載の照明器具。
【００２４】
（２０）  前記取付部に前記光源ユニットが取り付けられた状態で、光を照射する側における前記器具本体の表面の高さと、前記光源ユニットの表面の高さとが、略一致する上記（１）ないし（１９）のいずれかに記載の照明器具。
【００２５】
（２１）  前記取付補助具には、切り欠き部が形成されており、該切り欠き部に前記板状体が嵌合することで、前記取付部に前記光源ユニットが取り付けられる上記（１）ないし（２０）のいずれかに記載の照明器具。
【００２６】
（２２）  前記取付補助具は、複数の脚部を有しており、該隣り合う２つの脚部の間に前記板状体が嵌合することで、前記取付部に前記光源ユニットが取り付けられる上記（１）ないし（２０）のいずれかに記載の照明器具。
【００２７】
（２３）  前記取付補助具は、基部と、該基部から突出した複数の脚部とを有し、
前記取付部は、該取付部に前記光源ユニットを取り付けたとき、前記基部が挿入される凹部を有し、
前記取付部に前記光源ユニットが取り付けられた状態で、光を照射する側における前記器具本体の表面の高さと、前記光源ユニットの表面の高さとが、略一致する上記（１）ないし（１９）のいずれかに記載の照明器具。
【発明の効果】
【００２８】
本発明によれば、例えば、取付部を複数設けたり、また、同一または異なる光源ユニットを複数用意することで、照明器具におけるＬＥＤ光源の数、種類、配置等の諸条件の設定を容易に調整することができ、利便性が高い。例えば、高い美的効果や癒し効果（リラクゼーション効果）が得られるような種々の設定を自在に行なうことができ、また、その設定の変更も自在に行なうことができる。
【００２９】
また、器具本体は、板状体が交差または屈曲した形状をなしており、この板状体の交差部または屈曲部に取付部を有しているので、光源ユニットを安定的に取り付けることができる。
【００３０】
また、例えば、ＬＥＤ光源で発生した熱を、取付補助具に蓄熱させ、取付補助具から放熱するように構成したり、また、さらに、取付補助具に蓄熱された熱を、取付補助具から器具本体に伝達し、器具本体から放熱するように構成することもでき、これにより、ＬＥＤ光源で発生した熱を効率良く放熱することができる。これにより、ＬＥＤ光源の温度上昇による発光効率の減少を抑制（または防止）することができ、これによって、効率良く照明することができる。
【発明を実施するための最良の形態】
【００３１】
以下、本発明の照明器具を添付図面に示す好適実施形態に基づいて詳細に説明する。
＜第１実施形態＞
図１は、本発明の照明器具の第１実施形態を示す斜視図であって、図１（ａ）は、器具本体に光源ユニットを取り付ける前の状態を示す斜視図、図１（ｂ）は、器具本体に光源ユニットを取り付けた後の状態を示す斜視図である。また、図２は、図１に示す照明器具における器具本体の取付部および光源ユニットを示す図であって、図２（ａ）は、器具本体の取付部を示す平面図、図２（ｂ）は、光源ユニットを示す底面図である。
【００３２】
なお、説明の都合上、図１において、上側を「上」、下側を「下」として説明する。また、図１および図２と、後述する他の実施形態を示す図１８、図１９および図２０においては、本体側接続部２４および光源側接続部４４は、模式的に示されている。
【００３３】
図１に示すように、照明器具（照明装置）１は、ＬＥＤ（発光ダイオード）光を発して照明を行なう器具（装置）であり、複数の光源ユニット３と、光源ユニット３が着脱自在に取り付けられる（装着される）器具本体２とを備えている。なお、光源ユニット３の数は、複数が好ましいが、１つであってもよい。
【００３４】
この照明器具１は、種々の対象において用いることができ、照明器具１が設置される対象は、特に限定されないが、例えば、住宅、ビル等の各種の建築物において用いる（設置される）のが好ましい。
【００３５】
例えば、住宅において用いる場合、照明器具１は、居間、寝室、キッチン、浴室（この場合は、照明器具１に対して所定の防水処理が施される）、トイレ、玄関、廊下等の居住空間等において、例えば、天井、床、壁、仕切り、衝立等、あらゆる箇所（部位）に設置することができる。
【００３６】
また、照明器具１は、太陽光を導く光ダクト等の導光路の途中や端部、太陽光および空気を導く光・エアダクト等の通気可能な導光路の途中や端部にも設置することができる。
【００３７】
なお、この照明器具１では、光（ＬＥＤ光）は、図１中、略上側に向って照射されるようになっている。このため、例えば、照明器具１を天井に設置する場合は、照明器具１は、その上面が下側に向くように設置される。
【００３８】
以下、照明器具１の各構成要素について順次説明する。
図１に示すように、光源ユニット３は、ＬＥＤ光を発するＬＥＤ光源であるＬＥＤパッケージ９１と、ＬＥＤパッケージ９１を保持（支持）する取付補助具４とを有している。図示例では、光源ユニット３におけるＬＥＤパッケージ９１の数、すなわち、取付補助具４に保持されているＬＥＤパッケージ９１の数は、１つであるが、複数でもよいことは、言うまでもない。なお、ＬＥＤパッケージ９１については、後に詳述する。
【００３９】
本実施形態では、取付補助具４（光源ユニット３）は、略円柱形状をなし、その下側には、切り欠き部４３が形成されている。すなわち、取付補助具４（光源ユニット３）は、基部４１と、基部４１から下方に向って突出した複数（本実施形態では、４つ）の脚部４２とを有している。
【００４０】
各脚部４２の長さは、等しく設定されている。また、各脚部４２は、周方向に沿って、等間隔（等角度間隔）で配置されている。
【００４１】
これらの脚部４２の間の部分が前記切り欠き部４３であり、この切り欠き部４３は、底面視で（図１中下側から見たとき）、略十字状（器具本体２の後述する取付部２１における板状体に対応する形状）をなしている。
【００４２】
また、ＬＥＤパッケージ９１は、取付補助具４の基部４１に保持（埋設）されており、ＬＥＤパッケージ９１から発せられた光は、脚部４２と反対側、すなわち、図１中、略上側に向って照射される。
【００４３】
この取付補助具４は、ＬＥＤパッケージ９１で発生した熱を蓄熱する蓄熱部（蓄熱手段およびその熱を放熱する放熱部（放熱手段）としても機能する。従って、取付補助具４の構成材料としては、熱を逃がし易いもの、すなわち、熱伝導率の高いものが好ましく、具体的には、例えば、アルミニウムやアルミニウム系合金等の金属材料等が用いられる。これにより、ＬＥＤパッケージ９１（ＬＥＤ素子９４）で発生した熱を効率良く放熱することができる。
【００４４】
また、図１および図２に示すように、取付補助具４の基部４１の裏面（脚部４２側の面）には、図１および図２中「＋」で示すプラス側端子と、図１および図２中「−」で示すマイナス側端子とで構成され、器具本体２の後述する本体側接続部２４に接続される光源側接続部（光源側電気的接続部）４４が、設置されている。本実施形態では、その光源側接続部４４は、隣り合う脚部４２と脚部４２との間の１箇所に設置されている。なお、光源側接続部４４と取付補助具４とは、互いに絶縁されている。
【００４５】
光源側接続部４４は、図示しない導線（導体）を介してＬＥＤパッケージ９１の後述するプラス電極９７およびマイナス電極９８に接続されている。
【００４６】
ここで、この複数の光源ユニット３は、同一のものでもよく、また、異なるものでもよい。すなわち、照明器具１は、同一または異なる複数の光源ユニット３を有している。
【００４７】
光源ユニット３の種類としては、例えば、光源ユニット３の形状（デザイン）、ＬＥＤパッケージ９１が発する光（照明光）の色（ＬＥＤ素子９４における発光色）、輝度、レンズ形状等の異なるものが挙げられる。
【００４８】
図１に示すように、器具本体２は、板状体が交差または屈曲した形状をなしており、その板状体の交差部または屈曲部に、光源ユニット３が着脱自在に取り付けられる（装着される）取付部２１を有している。この取付部２１の数は、１つでもよいが、図示例のように、複数が好ましい。
【００４９】
本実施形態では、器具本体２は、平面視で（図１中上側から見たとき）、直線状の複数の板状体が交差した形状、すなわち、格子状（図１中の上下方向に厚みのある格子状）をなしており、その板状体の各交差部に、それぞれ、取付部２１が設けられている。取付部２１における板状体と板状体とのなす角は、略直角である。また、板状体には、下方および長手方向に開放した中空部２２が形成されている。そして、この器具本体２の略全体を構成する複数の板状体は、格子状に、一体的に形成されている。
【００５０】
また、取付部２１（取付部２１における板状体）には、光源ユニット３の基部４１に対応する形状の凹部２３が形成されている。
【００５１】
取付部２１に光源ユニット３を取り付ける際は、その凹部２３に光源ユニット３の基部４１が挿入され、切り欠き部４３、すなわち、隣り合う２つの脚部４２の間に、器具本体２の板状体が嵌合することで、取付部２１に光源ユニット３が取り付けられる。これにより、光源ユニット３を容易かつ安定的に取り付けることができる。
【００５２】
ここで、前記光源ユニット３の脚部４２の間の間隔は、基部４１側から下方（先端側）に向って狭くなっており、隣り合う２つの脚部４２の間に器具本体２の板状体が嵌合すると、隣り合う２つの脚部４２が器具本体２の板状体を挟持し、光源ユニット３は、取付部２１に保持され、その離脱が防止（阻止）されるようになっている。
【００５３】
また、これとともに、または、これに替えて、光源ユニット３と、取付部２１とに、例えば、凹部と、この凹部に係合し得る爪等で構成されるロック手段を設けてもよい。これによれば、照明器具１を、特に、天井に設置した場合に、光源ユニット３の離脱を確実に防止することができる。
【００５４】
また、取付部２１の凹部２３の高さ（深さ）ａと、取付補助具４の基部４１の高さｂとは、略等しく設定されており、取付部２１に光源ユニット３が取り付けられた状態では、光を照射する側（図１中上側）における器具本体２の表面（上面）の高さと、光源ユニット３（取付補助具４）の表面の高さとが、略一致する。これにより、照明器具１の光を照射する側の表面（上面）は、段差（凹凸）のない平滑面（平面）をなす。
【００５５】
これにより、照明器具１を、特に、壁、床、衝立に設置した場合に、照明器具１への引っ掛かりを防止することができ、また、埃や塵等も溜まり難くなる。
【００５６】
また、照明器具１を、特に、床に設置し、その照明器具１上に透明板を設置した場合に、その透明板が安定する。
【００５７】
また、取付部２１に光源ユニット３を取り付ける際、取付部２１と光源ユニット３の位置関係（取付部２１に対する光源ユニット３の姿勢）を複数のパターンから選択し得るようになっている。
【００５８】
本実施形態では、光源ユニット３を、その中心軸（中心線）を中心に、取付部２１に対して、９０°ずつ回転させたときの各位置関係（姿勢）、すなわち、４つのパターンから選択することができる。
【００５９】
この器具本体２は、ＬＥＤパッケージ９１で発生した熱（取付補助具４に蓄熱された熱）を放熱する放熱部（放熱手段）としても機能する。従って、板状体の構成材料としては、熱を逃がし易いもの、すなわち、熱伝導率の高いものが好ましく、具体的には、例えば、アルミニウムやアルミニウム系合金等の金属材料等が用いられる。これにより、ＬＥＤパッケージ９１で発生した熱を効率良く放熱することができる。
【００６０】
このように、ＬＥＤパッケージ９１で発生した熱は、取付補助具４に蓄熱され、取付補助具４から放熱され、一方、取付補助具４に蓄熱された熱の一部は、取付補助具４から前記器具本体２に伝達され、器具本体２から放熱される。これにより、ＬＥＤ光源で発生した熱を効率良く放熱することができる。これにより、ＬＥＤ光源の温度上昇による発光効率の減少を抑制（または防止）することができ、これによって、効率良く照明することができる。
【００６１】
また、器具本体２は、中空部２２に連通し、その中空部２２に空気を供給する図示しない供給口を有している。また、この供給口から中空部２２に空気を導入する図示しない送気装置が設置されており、その送気装置が作動すると、供給口から中空部２２に空気が供給され、中空部２２内に空気が流れる。これにより、器具本体２からの放熱が促進され、ＬＥＤパッケージ９１で発生した熱を迅速かつ確実に放熱することができる。
【００６２】
この場合、取付部２１の上部（光源ユニット３側）に、開口（貫通孔）を設け、中空部２２内を流れる空気の一部が、その開口から光源ユニット３側に流出するようにしてもよい。これにより、開口から流出した空気によって、光源ユニット３からの放熱が促進され、ＬＥＤパッケージ９１で発生した熱をより迅速かつ確実に放熱することができる。
【００６３】
また、図１および図２に示すように、取付部２１には、図１および図２中「＋」で示すプラス側端子と、図１および図２中「−」で示すマイナス側端子とで構成され、図示しない電源部から図示しない電源線を介して供給される電力を出力する本体側接続部（本体側電気的接続部）２４が、設置されている。なお、本体側接続部２４と板状体とは、互いに絶縁されている。
【００６４】
ここで、前記本体側接続部２４および光源側接続部４４は、前記４つ（複数）の位置関係（姿勢）のパターンのうちのいずれのパターンを選択した場合でも、取付部２１に光源ユニット３が取り付けられると、本体側接続部２４と光源側接続部４４とが接続され、ＬＥＤパッケージ９１への通電が可能となるように、本体側接続部２４および光源側接続部４４が設けられている。
【００６５】
本実施形態では、器具本体２は、前記４つ（複数）パターンのすべてに対応し得るように、取付部２１に、４つ（複数）の本体側接続部２４を有している。具体的には、本体側接続部２４は、凹部２３内の底面、すなわち、板状体の上面における各パターンのときの光源側接続部４４に接続し得る箇所（合計で４箇所）に設置されている。これにより、前記４つのパターンのうちのいずれのパターンを選択した場合でも、取付部２１に光源ユニット３が取り付けられると、前記４つの本体側接続部２４のうちのいずれかと光源側接続部４４とが接続され、ＬＥＤパッケージ９１への通電が可能となる。このため、取付部２１に光源ユニット３を取り付ける際は、取付部２１に対する光源ユニット３の位置関係を確認する必要がなく、容易かつ迅速に、光源ユニット３の取り付け作業を行なうことができる。
【００６６】
また、中空部２２内には、ＬＥＤパッケージ９１に通電する（電力を供給する）ための配線である図示しない絶縁被覆された電源線（ケーブル）が配設（配置）されている。
【００６７】
電源線の一端側は、図示しない電源部に接続され、他端側は、各取付部２１の各本体側接続部２４に接続されている。すなわち、各取付部２１の各本体側接続部２４は、電源部に対して、並列に接続（並列接続）されている。従って、いずれの取付部２１におけるいずれの本体側接続部２４が、光源ユニット３の光源側接続部４４に接続し場合で、その光源ユニット３のＬＥＤパッケージ９１への通電が可能となる。
【００６８】
なお、本実施形態では、器具本体２を構成する板状体は、平面視で、直線状をなしているが、これに限らず、例えば、折れ線状または曲線状をなしていてもよい。また、直線状、折れ線状および曲線状のうちのいずれか２つの形状の板状体、または、すべての形状の板状体を組み合わせて器具本体２を形成（構成）してもよい。
【００６９】
また、板状体の中空部は、開放していなくてもよく、また、板状体は、中実であってもよい。
【００７０】
また、本体側接続部２４は、取付部２１の１箇所に設置されていてもよい。この場合は、例えば、その本体側接続部２４の位置を示すマーカー等を器具本体２に設けることにより、本体側接続部２４の位置を容易に把握することができるようになる。
【００７１】
また、取付部２１の凹部２３の高さａと取付補助具４の基部４１の高さｂとを異ならせて、取付部２１に光源ユニット３が取り付けられた状態で、光を照射する側（図１中上側）における器具本体２の表面の高さと、光源ユニット３（取付補助具４）の表面の高さとを、異ならせてもよい。すなわち、光源ユニット３の光を照射する側の端部が取付部２１から上側に突出するようにしてもよく、また、逆に、光源ユニット３の光を照射する側の端部が取付部２１の上端よりも下側に位置し、凹んだようにしてもよい。
【００７２】
また、光源ユニット３（取付補助具４）の形状は、図示例では、平面視で、円形であるが、これに限らず、例えば、三角形、四角形、五角形、六角形等の多角形、楕円形等でもよい。
【００７３】
また、光源ユニット３（取付補助具４）の表面（外面）は、図示例では、平らであるが、これに限らず、例えば、凹凸等が形成されていてもよい。
【００７４】
また、光源ユニット３（取付補助具４）の脚部４２や切り欠き部４３の形状は、前述した図示例のものには限定されない。
【００７５】
次に、ＬＥＤパッケージ（ＬＥＤ光源）９１について説明する。
図３は、図１に示す照明器具におけるＬＥＤパッケージの平面図、図４は、図１に示す照明器具におけるＬＥＤパッケージの正面図、図５は、図１に示す照明器具におけるＬＥＤパッケージの断面図である。
【００７６】
図３〜図５に示すように、ＬＥＤパッケージ９１は、矩形板状の基盤９２と、基盤９２の一方の面（図５中上側の面）上に設けられた反射板９３、ＬＥＤ素子９４、蛍光体９５、およびレンズ９６とを備える。
【００７７】
基盤９２は、矩形の金属板が多層に積層されて形成されており、基盤９２には、プラス電極９７とマイナス電極９８とが、その多層の金属板の間に挟まれて取り付けられている（図５参照）。この場合、プラス電極９７とマイナス電極９８とが短絡（ショート）しないようになっている。また、基盤９２の主材料には、ＬＥＤ素子９４の熱を逃がし易い材料、すなわち、熱伝導率の高い、例えば、アルミニウムやアルミニウム系合金等の金属材料が用いられる。
【００７８】
また、反射板９３は、枠状をなし、基盤９２の外周部に設置されており、その内面において光を反射する。
【００７９】
また、ＬＥＤ素子９４は、反射板９３の内側、すなわち、基盤９２の中央部に設置されている。また、ＬＥＤ素子９４は、その下面にプラス電極９４ａおよびマイナス電極９４ｂを有しており、このプラス電極９４ａおよびマイナス電極９４ｂは、それぞれ、基盤９２のプラス電極９７およびマイナス電極９８に接続されている。ＬＥＤ素子９４は、プラス電極９４ａおよびマイナス電極９４ｂを介して低電圧直流電流が供給されることにより点灯（発光）する。
【００８０】
また、蛍光体９５は、ＬＥＤ素子９４を覆うように形成されており（図５参照）、レンズ９６は、反射板９３の内面および蛍光体９５を覆うように形成されている（図５参照）。
【００８１】
このＬＥＤパッケージ９１は、基盤９２の他方の面（図５中下側の面）が、取付補助具４の基部４１に固定されている。また、ＬＥＤパッケージ９１のプラス電極９７は、図示しない導線（導体）を介して光源側接続部４４のプラス側端子に接続され、マイナス電極９８は、図示しない導線を介して光源側接続部４４のマイナス側端子に接続されている。
【００８２】
なお、ＬＥＤパッケージ９１の構造は、前述したものには限定されず、種々のものを用いることができる。
【００８３】
この場合、例えば、ＬＥＤパッケージ９１の外形形状は、矩形に限らず、例えば、円形等であってもよい。
【００８４】
また、レンズ９６として、他の形状、特性ものを用いてもよく、また、レンズ９６が省略されていてもよい。
【００８５】
次に、照明器具１の作用について説明する。
使用者は、既に設置されている器具本体２に対して、光源ユニット３を取り付ける。すなわち、用意されている複数の光源ユニット３から選択するとともに、器具本体２の複数の取付部２１から選択して、選択した取付部２１に、選択した光源ユニット３を取り付ける。この作業を、照明器具１の目標の設定が完了するまで行なう。
【００８６】
この場合、光源ユニット３を、すべての取付部２１に取り付けてもよく、また、一部の取付部２１に取り付けてもよい。
【００８７】
また、光源ユニット３を一部の取付部２１に取り付ける場合、残りの（空いている）取付部２１のうちのすべての取付部２１、また、一部の取付部２１に、ダミーの光源ユニットを取り付けてもよい。
【００８８】
また、光源ユニット３を複数取り付ける場合は、同一の光源ユニット３を取り付けてもよく、また、異なる種類の光源ユニット３を取り付けてもよい。光源ユニット３の種類としては、前述したように、例えば、光源ユニット３の形状（デザイン）、ＬＥＤパッケージ９１が発する光（照明光）の色（ＬＥＤ素子９４における発光色）、輝度、レンズ形状等の異なるものが挙げられる。
【００８９】
なお、器具本体２に、既に光源ユニット３が取り付けられている場合や、誤って取り付けた場合は、光源ユニット３を付け替えたり、または、取り外したり、または、追加して取り付けたりすることができる。
【００９０】
照明器具１の目標の設定が完了し、照明器具１が作動（駆動）すると、各ＬＥＤパッケージ９１のＬＥＤ素子９４が発光（点灯）し、各ＬＥＤパッケージ９１から光が発せられ、これにより照明がなされる。
【００９１】
以上説明したように、照明器具１によれば、その照明器具１におけるＬＥＤパッケージ９１の数、種類、配置等の諸条件の設定を容易に調整することができ、利便性が高い。例えば、高い美的効果や癒し効果（リラクゼーション効果）が得られるような種々の設定を自在に行なうことができ、また、その設定の変更も自在に行なうことができる。
【００９２】
なお、前記照明器具１については、種々の他の構成例（変形例）があることは、既に述べた通りであるが、以下、図６〜図１７に基づいて、いくつかの他の構成例（変形例）を説明する。
【００９３】
図６および図７は、照明器具の他の構成例を示す平面図、図８〜図１４は、照明器具の光源ユニットの他の構成例を示す底面図、図１５は、照明器具の他の構成例を示す平面図、図１６および図１７は、照明器具の光源ユニットの他の構成例を示す断面図である。
【００９４】
図６に示す構成例では、器具本体２は、板状体がＴ字状に交差（屈曲）した形状の部分を有しており、この交差部（屈曲部）に、取付部２１を有し、その取付部２１に光源ユニット３が取り付けられるようになっている。
【００９５】
また、図７に示す構成例では、器具本体２は、板状体が屈曲した形状の部分を有しており、この屈曲部に、取付部２１を有し、その取付部２１に光源ユニット３が取り付けられるようになっている。
【００９６】
また、図８に示す構成例では、光源ユニット３は、平面視（底面視）で、四角形（例えば、正方形）をなし、４つの脚部４２を有している。切り欠き部４３は、平面視（底面視）で、各辺に向って形成されている。
【００９７】
また、図９に示す構成例では、光源ユニット３は、平面視（底面視）で、四角形（例えば、正方形）をなし、４つの脚部４２を有している。切り欠き部４３は、平面視（底面視）で、各頂点に向って形成され、各対角線上に位置している。
【００９８】
また、図１０に示す構成例では、光源ユニット３は、平面視（底面視）で、円形をなし、３つの脚部４２を有している。
【００９９】
また、図１１に示す構成例では、光源ユニット３は、平面視（底面視）で、三角形（例えば、正三角形）をなし、３つの脚部４２を有している。切り欠き部４３は、平面視（底面視）で、各辺に向って形成されている。
【０１００】
また、図１２に示す構成例では、光源ユニット３は、平面視（底面視）で、三角形（例えば、正三角形）をなし、３つの脚部４２を有している。切り欠き部４３は、平面視（底面視）で、各頂点に向って形成されている。
【０１０１】
また、図１３に示す構成例では、光源ユニット３は、平面視（底面視）で、六角形（例えば、正六角形）をなし、３つの脚部４２を有している。切り欠き部４３は、平面視（底面視）で、３つの辺に向って形成されている。
【０１０２】
また、図１４に示す構成例では、光源ユニット３は、平面視（底面視）で、六角形（例えば、正六角形）をなし、３つの脚部４２を有している。切り欠き部４３は、平面視（底面視）で、３つの頂点に向って形成されている。
【０１０３】
また、図１５に示す構成例では、器具本体２は、ハニカム構造（ハニカム形状）をなしており、交差部（屈曲部）に、取付部２１を有し、その取付部２１に光源ユニット３が取り付けられるようになっている。
【０１０４】
また、図１６に示す構成例の光源ユニット３では、ＬＥＤパッケージ９１のレンズ９６が前述した第１実施形態と異なること以外は、第１実施形態と同様である。すなわち、ＬＥＤパッケージ９１のレンズ９６以外の部分９９は、第１実施形態と同様であり、レンズ９６は、中央部に、凸レンズを有し、そのレンズ９６の外径が、図１６中上側に向って漸増している。これにより、指向性が良好になり、芸術性、審美性の高い照明効果を得ることができる。
【０１０５】
また、図１７に示す構成例の光源ユニット３では、前述した図１６に示す構成例の光源ユニット３と同様に、ＬＥＤパッケージ９１のレンズ９６は、中央部に、凸レンズを有し、そのレンズ９６の外径が、図１６中上側に向って漸増している。これにより、指向性が良好になり、芸術性、審美性の高い照明効果を得ることができる。一方、レンズ９６は、取付補助具の図１７中上側の表面から上側に突出している。
【０１０６】
＜第２実施形態＞
次に、本発明の照明器具の第２実施形態について説明する。
【０１０７】
図１８は、本発明の照明器具の第２実施形態における器具本体の取付部および光源ユニットを示す図であって、図１８（ａ）は、器具本体の取付部を示す平面図、図１８（ｂ）は、光源ユニットを示す底面図である。
【０１０８】
以下、第２実施形態の照明器具１について、前述した第１実施形態との相違点を中心に説明し、同様の事項については、その説明を省略する。
【０１０９】
図１８に示すように、第２実施形態の照明器具１では、光源ユニット３の光源側接続部４４は、所定の脚部４２の中心側の角部の１箇所に設置されている。この場合、光源側接続部４４のプラス側端子およびマイナス側端子は、脚部４２の長手方向に沿って配置されている。
【０１１０】
また、器具本体２の本体側接続部２４は、取付部２１の４隅（合計で４箇所）に設置されている。この場合、本体側接続部２４のプラス側端子およびマイナス側端子は、脚部４２の長手方向に沿って配置されている。
【０１１１】
これにより、４つの位置関係（姿勢）のパターンのうちのいずれのパターンを選択した場合でも、取付部２１に光源ユニット３が取り付けられると、前記４つの本体側接続部２４のうちのいずれかと光源側接続部４４とが接続され、ＬＥＤパッケージ９１への通電が可能となる。
この照明器具１によれば、前述した第１実施形態と同様の効果が得られる。
【０１１２】
＜第３実施形態＞
次に、本発明の照明器具の第３実施形態について説明する。
【０１１３】
図１９は、本発明の照明器具の第３実施形態における器具本体の取付部および光源ユニットを示す図であって、図１９（ａ）は、器具本体の取付部を示す平面図、図１９（ｂ）は、光源ユニットを示す底面図である。
【０１１４】
以下、第３実施形態の照明器具１について、前述した第１実施形態との相違点を中心に説明し、同様の事項については、その説明を省略する。
【０１１５】
図１９に示すように、第３実施形態の照明器具１では、光源ユニット３の光源側接続部４４は、取付補助具４の基部４１の裏面（脚部４２側の面）における隣り合う脚部４２と脚部４２との間の箇所（合計で、４箇所）に設置されている。
【０１１６】
また、器具本体２の本体側接続部２４は、取付部２１の凹部２３内の底面の１箇所に設置されている。
【０１１７】
これにより、４つの位置関係（姿勢）のパターンのうちのいずれのパターンを選択した場合でも、取付部２１に光源ユニット３が取り付けられると、本体側接続部２４と前記４つの光源側接続部４４のうちのいずれかとが接続され、ＬＥＤパッケージ９１への通電が可能となる。
この照明器具１によれば、前述した第１実施形態と同様の効果が得られる。
【０１１８】
＜第４実施形態＞
次に、本発明の照明器具の第４実施形態について説明する。
【０１１９】
図２０は、本発明の照明器具の第４実施形態における器具本体の取付部および光源ユニットを示す図であって、図２０（ａ）は、器具本体の取付部を示す平面図、図２０（ｂ）は、光源ユニットを示す底面図である。
【０１２０】
以下、第４実施形態の照明器具１について、前述した第１実施形態との相違点を中心に説明し、同様の事項については、その説明を省略する。
【０１２１】
図２０に示すように、第４実施形態の照明器具１では、光源ユニット３の光源側接続部４４は、各脚部４２の中心側の角部（合計で、４箇所）に設置されている。この場合、光源側接続部４４のプラス側端子およびマイナス側端子は、脚部４２の長手方向に沿って配置されている。
【０１２２】
また、器具本体２の本体側接続部２４は、取付部２１の所定の隅の１箇所に設置されている。この場合、本体側接続部２４のプラス側端子およびマイナス側端子は、脚部４２の長手方向に沿って配置されている。
【０１２３】
これにより、４つの位置関係（姿勢）のパターンのうちのいずれのパターンを選択した場合でも、取付部２１に光源ユニット３が取り付けられると、本体側接続部２４と前記４つの光源側接続部４４のうちのいずれかとが接続され、ＬＥＤパッケージ９１への通電が可能となる。
この照明器具１によれば、前述した第１実施形態と同様の効果が得られる。
【０１２４】
＜第５実施形態＞
次に、本発明の照明器具の第５実施形態について説明する。
【０１２５】
図２１は、本発明の照明器具の第５実施形態を示す斜視図である。
なお、説明の都合上、図２１において、上側を「上」、下側を「下」として説明する。
【０１２６】
以下、第５実施形態の照明器具１について、前述した第１実施形態との相違点を中心に説明し、同様の事項については、その説明を省略する。
【０１２７】
図２１に示すように、第５実施形態の照明器具１では、第１実施形態の照明器具１を対称に２つ合わせたような構造をなしており、光源ユニット３を、上側および下側の両方から、それぞれ、器具本体２に取り付けることができるように構成されている。
【０１２８】
この照明器具１によれば、前述した第１実施形態と同様の効果が得られる。
そして、この照明器具１では、照明器具１を、特に、衝立や仕切りに設置して、その両側において、それぞれ、器具本体２に、光源ユニット３を着脱することができ、照明を行なうことができる。
なお、この第５実施形態は、前述した第２〜第４実施形態にも適用することができる。
【０１２９】
以上、本発明の照明器具を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、本発明は、前記各実施形態のうちの、任意の２以上の構成（特徴）を組み合わせたものであってもよい。
【図面の簡単な説明】
【０１３０】
【図１】本発明の照明器具の第１実施形態を示す斜視図である。
【図２】図１に示す照明器具における器具本体の取付部および光源ユニットを示す図である。
【図３】図１に示す照明器具におけるＬＥＤパッケージの平面図である。
【図４】図１に示す照明器具におけるＬＥＤパッケージの正面図である。
【図５】図１に示す照明器具におけるＬＥＤパッケージの断面図である。
【図６】照明器具の他の構成例を示す平面図である。
【図７】照明器具の他の構成例を示す平面図である。
【図８】照明器具の光源ユニットの他の構成例を示す底面図である。
【図９】照明器具の光源ユニットの他の構成例を示す底面図である。
【図１０】照明器具の光源ユニットの他の構成例を示す底面図である。
【図１１】照明器具の光源ユニットの他の構成例を示す底面図である。
【図１２】照明器具の光源ユニットの他の構成例を示す底面図である。
【図１３】照明器具の光源ユニットの他の構成例を示す底面図である。
【図１４】照明器具の光源ユニットの他の構成例を示す底面図である。
【図１５】照明器具の他の構成例を示す平面図である。
【図１６】照明器具の光源ユニットの他の構成例を示す断面図である。
【図１７】照明器具の光源ユニットの他の構成例を示す断面図である。
【図１８】本発明の照明器具の第２実施形態における器具本体の取付部および光源ユニットを示す図である。
【図１９】本発明の照明器具の第３実施形態における器具本体の取付部および光源ユニットを示す図である。
【図２０】本発明の照明器具の第４実施形態における器具本体の取付部および光源ユニットを示す図である。
【図２１】本発明の照明器具の第５実施形態を示す斜視図である。
【符号の説明】
【０１３１】
１                照明器具
２                器具本体
２１              取付部
２２              中空部
２３              凹部
２４              本体側接続部
３                光源ユニット
４                取付補助具
４１              基部
４２              脚部
４３              切り欠き部
４４              光源側接続部
９１              ＬＥＤパッケージ
９２              基盤
９３              反射板
９４              ＬＥＤ素子
９４ａ            プラス電極
９４ｂ            マイナス電極
９５              蛍光体
９６              レンズ
９７              プラス電極
９８              マイナス電極
９９              レンズ以外の部分
【図１】
2007242244.tif 000003
【図２】
2007242244.tif 000004
【図３】
2007242244.tif 000005
【図４】
2007242244.tif 000006
【図５】
2007242244.tif 000007
【図６】
2007242244.tif 000008
【図７】
2007242244.tif 000009
【図８】
2007242244.tif 000010
【図９】
2007242244.tif 000011
【図１０】
2007242244.tif 000012
【図１１】
2007242244.tif 000013
【図１２】
2007242244.tif 000014
【図１３】
2007242244.tif 000015
【図１４】
2007242244.tif 000016
【図１５】
2007242244.tif 000017
【図１６】
2007242244.tif 000018
【図１７】
2007242244.tif 000019
【図１８】
2007242244.tif 000020
【図１９】
2007242244.tif 000021
【図２０】
2007242244.tif 000022
【図２１】
2007242244.tif 000023